(57)【要約】【課題】一般家庭等において飲食物等を収容した容器の開口縁に密着させることにより、該容器を密閉できるようにした容器用の密閉蓋を提供する。【解決手段】窓開口(4)を囲む環状のホルダー(2)と、前記窓開口(4)に配置されたシート(3)とから構成されている。シート(3)は、伸縮自在かつ弾性復元力を有する合成樹脂製シートから成り、該シートの周縁部を前記ホルダー(2)に固定され、弛みを有しない緊張状態で平面状態を保持するように張設されている。シート(3)の下面を容器(8)の開口縁(9)に当接した後、該シートを前記容器の内部に向けて変形させると、該容器の内部を負圧とすることにより、該シート(3)が容器の開口縁(9)に密着し、容器を気密的かつ水密的に密閉する。【選択図】図４
0003164665.tif 000002
【実用新案登録請求の範囲】
【請求項１】
窓開口(4)を囲む環状のホルダー(2)と、前記窓開口(4)に配置されたシート(3)とから構成され、
前記シート(3)は、伸縮自在かつ弾性復元力を有する合成樹脂製シートから成り、該シートの周縁部を前記ホルダー(2)に固定されており、
前記シート(3)の下面を容器(8)の開口縁(9)に当接した状態で該シートを前記容器の内部に向けて変形させ、該容器の内部を負圧とすることにより、該シート(3)を容器の開口縁(9)に密着させるように構成して成ることを特徴とする容器用の密閉蓋。
【請求項２】
前記シート(3)は、シリコン樹脂製の透明又は半透明のフィルム状シートから成り、ホルダー(2)の内側に弛まないように張設されて成ることを特徴とする請求項１に記載の容器用の密閉蓋。
【請求項３】
前記シート(3)は、前記窓開口(4)に配置されるシート状部(10)と、該シート状部の周囲に周設されたリブ(11)を備え、
前記ホルダー(2)は、前記リブ(11)を嵌着する嵌着溝(17)を周設しており、
前記シート(3)のシート状部(10)を放射方向に伸長させた状態で、前記リブ(11)を嵌着溝(17)に嵌着して成ることを特徴とする請求項２に記載の容器用の密閉蓋。
【考案の詳細な説明】
【技術分野】
【０００１】
本考案は、一般家庭等において飲食物等を収容した容器の開口縁に密着させることにより、該容器を密閉できるようにした容器用の密閉蓋に関する。
【背景技術】
【０００２】
従来、一般家庭等において飲食物等を収容した容器を密閉し、冷蔵庫等に貯蔵するためには、通常、ラップフィルムが使用されている。ロールから繰り出したラップフィルムは、容器の開口を閉鎖するように張設された後、ロールから切断され、容器の開口縁の外周に密着させられ、これにより容器を密閉する。しかしながら、このような密閉作業は、高齢者や子供には必ずしも容易でなく、失敗を繰り返すことによりラップフィルムを浪費する。また、ラップフィルムを除去することにより容器を開放したとき、除去されたラップフィルムは、再使用不能であるから廃棄され、資源を無駄とする。
【０００３】
この点に関して、本出願人は、特許文献１に示すような弾性材により形成した円盤状の密閉蓋を提供し、好評を博している。しかしながら、特許文献１の密閉蓋は、容器の開口に対して同心状でなく偏心した状態で配置されたときは、密着効果が必ずしも十分でなく、しかも、高コストである。
【先行技術文献】
【特許文献】
【０００４】
【特許文献１】特開２０１０−７０２３５号公報
【考案の概要】
【考案が解決しようとする課題】
【０００５】
本考案は、ラップフィルムと同様の優れた密着性を有しており、しかも、容器の密閉作業が簡単容易であると共に、繰り返し使用可能であり、更に、低コストで生産できる容器用の密閉蓋を提供することを課題とする。
【課題を解決するための手段】
【０００６】
そこで、本考案が前記課題を解決するための手段として構成したところは、窓開口を囲む環状のホルダーと、前記窓開口に配置されたシートとから構成され、前記シートは、伸縮自在かつ弾性復元力を有する合成樹脂製シートから成り、該シートの周縁部を前記ホルダーに固定されており、前記シートの下面を容器の開口縁に当接した状態で該シートを前記容器の内部に向けて変形させ、該容器の内部を負圧とすることにより、該シートを容器の開口縁に密着させるように構成して成る点にある。
【０００７】
本考案の好ましい実施形態において、前記シートは、シリコン樹脂製の透明又は半透明のフィルム状シートから成り、ホルダーの内側に弛まないように張設されている。
【０００８】
この際、前記シートは、前記窓開口に配置されるシート状部と、該シート状部の周囲に周設されたリブを備え、前記ホルダーは、前記リブを嵌着する嵌着溝を周設しており、前記シートのシート状部を放射方向に伸長させた状態で、前記リブを嵌着溝に嵌着している。
【考案の効果】
【０００９】
請求項１に記載の本考案によれば、一般家庭等において、密閉蓋１を使用することにより、飲食物等を収容した容器８を密閉する際には、ホルダー２を把持した状態で、シート３を容器の開口縁９に載せるだけで、シート３がホルダー２の内側に位置して弛まない平面を保持しているので、開口縁９の全周にわたり均等に密着させることができる。そこで、シート３のほぼ中央部を指先等の押圧手段Ｆで容器８の内部に向けて変形させると、該容器８の内部が大気圧から減じられた負圧となるので、シート３が開口縁９に強く密着され、このような極めて簡単容易な作業で、容器８を気密的かつ水密的に密閉することができるという効果がある。そして、容器８を開放するときは、ホルダー２を把持してシート３を開口縁９から離反させれば、容器８の内部に外気が導入されるので、密閉蓋１を持ち上げることにより、簡単容易に容器８を開放することができる。そして、密閉時に変形されていたシート３は、ホルダー２の内側で平面状態となるように復元されるので、密閉蓋１を繰り返し使用できるという効果がある。
【００１０】
請求項２に記載の本考案によれば、シート３が透明又は半透明のフィルム状シートにより形成されており、ユーザは、シートを透視して容器の開口縁９を視認できるので、シート３を開口縁９に当接させる際の位置決めが容易となる。しかも、シート３は、シリコン樹脂製のフィルム状シートにより形成されており、シリコンの特性による粘着性に近い密着性を有するので、開口縁９に当接させるや否や該開口縁９に粘着状態で密着することにより位置が固定されるので、この状態から位置ずれ移動することがないという利点があり、引き続いて前述のようにシート３を容器８の内部に向けて変形させるだけで、密着力が増加して容器８を完璧に密閉する。
【００１１】
請求項３に記載の本考案によれば、シート状部１０の周囲に周設されたリブ１１をホルダー２の嵌着溝１７に嵌着した状態で、シート状部１０が放射方向に伸長されており、シート状部１０が収縮力により緊張した状態で弛みのない平面状態に保持されているので、上述のようにシート３を容器の開口縁９に載せるだけで、シート状部１０を開口縁９の全周にわたり均等に密着させることができるという効果を確実なものとする。
【図面の簡単な説明】
【００１２】
【図１】本考案の１実施形態に係る密閉蓋と、該密閉蓋により密閉される容器の１例を示す斜視図である。
【図２】図１のＡ−Ａ線断面拡大図である。
【図３】ホルダーとシートを分解した状態で示す部分断面拡大図である。
【図４】本考案の１実施形態に係る密閉蓋により容器を密閉した使用状態を示す斜視図である。
【図５】図４のＢ−Ｂ線断面拡大図である。
【考案を実施するための形態】
【００１３】
以下図面に基づいて本考案の好ましい実施形態を詳述すると、図１ないし図３に示すように、本考案の密閉蓋１は、ホルダー２とシート３とから構成されている。
【００１４】
ホルダー２は、窓開口４を囲む環状のフレーム５を形成し、該フレーム５の任意の個所から外向きに突出する舌片６を延設し、該舌片６に吊下孔やフック等の吊下手段７を設けている。従って、不使用時の密閉蓋１を一般家庭等のキッチン等において吊下状態で保管することができる。
【００１５】
前記シート３は、伸縮自在かつ弾性復元力に富む合成樹脂製シート、好ましくは、伸縮性と弾力性に加えて密着性にも優れたシリコン樹脂製の透明又は半透明のフィルム状シートから成り、前記窓開口４を閉鎖するように配置され、該シート３の周縁部をホルダー２に固定されることにより、ホルダー２の内側で弛まない平面状態を保持するように張設されている。つまり、シート３は、皺等の弛みを有しておらず、全体にわたり平面を保つように緊張されている。
【００１６】
そこで、一般家庭等において、本考案の密閉蓋１を使用することにより、飲食物等を収容した容器８を密閉する際には、図４及び図５に示すように、ユーザが手指でホルダー２を把持した状態で、シート３を容器の開口縁９に載せ、該シート３のほぼ中央部を指先等の押圧手段Ｆで容器８の内部に向けて変形させると、該容器８の内部が大気圧から減じられた負圧となるので、シート３が開口縁９に密着され、これにより容器８を気密的かつ水密的に密閉することができる。
【００１７】
シート３を容器の開口縁９に載せるとき、シート３は、ホルダー２の内側に位置して弛まない平面状態を保持しているので、開口縁９に載せるだけで、開口縁９の全周にわたり均等に密着する。この際、シート３を透明又は半透明のフィルム状シートにより形成しておけば、ユーザがシートを透視して容器の開口縁９を視認できるので、シート３を開口縁９に当接させる際の位置決めが容易である。しかも、シート３をシリコン樹脂製のフィルム状シートにより形成しておけば、シリコンの特性による粘着性に近い密着性を有するので、開口縁９に当接させるや否や該開口縁９に粘着状態で密着することにより位置が固定され、この状態からホルダー２を動かそうとしても、位置ずれ移動することはなく、引き続いて前述のようにシート３を容器８の内部に向けて変形させると、密着力が増加して容器８を完璧に密閉する。
【００１８】
密閉蓋１により密閉する容器８は、開口縁９が窓開口４の内部に配置可能な寸法とされていることが必要であるが、例えば、ホルダー２の内径を１４０ｍｍ、１６０ｍｍ、２００ｍｍ、２４０ｍｍのように相違させた大小複数サイズの密閉蓋１を提供すれば、ユーザが必要に応じて複数サイズの密閉蓋１を購入することにより、種々の大小サイズの容器８に対応させることが可能である。尚、図例の場合、カップ状の容器８を示しているが、開口縁９を備えたものであれば、ボール状、箱状、その他の種々の形状の容器８であっても良い。同様に、ホルダー２は、図示実施形態のように、円環状に形成されていることが好ましいが、必ずしも真円形に限定されるものではなく、また、周方向に連続した環状でなく、一部を分断した環状でも良く、要するに、窓開口４に配置したシート３を弛まない平面状態で保持するように張設できるものであれば良い。
【００１９】
上述のようにして密閉蓋１により密閉した容器８を開放するときは、ユーザが手指でホルダー２を把持し、シート３を開口縁９から離反させ、容器８の内部に外気を導けば、密閉蓋１を簡単に持ち上げることが可能であり、これにより容器８を開放することができる。このとき、密閉時に変形されていたシート３は、ホルダー２の内側で平面状態となるように瞬時に復元される。従って、密閉蓋１は、繰り返し、容器８を密閉するために使用できる。
【００２０】
図２及び図３に示すように、本考案の好ましい実施形態において、シート３は、シリコン樹脂を一体成形することにより、ホルダー２の窓開口４に配置される薄いフィルム状のシート状部１０と、該シート状部１０の周囲に周設された厚肉のリブ１１を一体に備えている。
【００２１】
容器８を好適に密閉する目的からすると、シート状部１０は可及的に薄いフィルムを形成することが望ましいが、本考案が目的とする伸縮性及び弾力性と、変形容易性及び耐久性を確保するためには、シート状部１０の肉厚は、１ｍｍ以下で０．５ｍｍ以上（好ましくは０．７ｍｍ以上で０．９ｍｍ以下、最も好ましくは約０．８ｍｍ）に形成することが好ましい。
【００２２】
リブ１１は、シート状部１０の周縁に成形された断面が下向きに開口する円弧状とされた円弧部１２の外周側に周設されており、下向きに延びる垂下部１３と、該垂下部１３の頂部の平坦部１４を備えている。尚、垂下部１３の肉厚（内径と外径の差）は、１．５〜２．０ｍｍに形成されている。
【００２３】
ホルダー２のフレーム５は、ナイロンやポリプロピレン等の合成樹脂を成形することにより断面ほぼ楕円形に形成されると共に、上下に半割り状とされた下フレーム１５と上フレーム１６に分割されている。下フレーム１５は、前記リブ１１を嵌入する嵌着溝１７を備え、該嵌着溝１７の内周側に前記円弧状部１２に嵌入する突周部１８を形成すると共に、該嵌着溝１７の外周側に位置して上方に突出する舌片状の下爪１９を設け、該下爪１９の外周側に凹部２０を形成し、該凹部２０の底部に通孔２１を開設している。これに対して、上フレーム１６は、前記凹部２０に嵌入されると共に下爪１９に係着される舌片状の上爪２２を設けると共に、前記嵌着溝１７に臨む下向きの突条２３を形成し、前記上爪２２に臨む通孔２４を開設している。従って、下フレーム１５と上フレーム１６は、相互に衝合すると、上爪２２が凹部２０に進入して下爪１９に係着し、相互に分離不能に結合される。この際、外周縁部に位置して、下フレーム１５と上フレーム１６の相互に設けられた凹部２５と凸部２６が嵌着される。
【００２４】
図３に示すように、円環状に形成された下フレーム１５に周設された嵌着溝１７の直径Ｒ１に対して、シート状部１０の周囲に円環状に周設されたリブ１１の直径Ｒ２は、Ｒ１＞Ｒ２となるように形成されている。従って、シート３は、シート状部１０を放射方向に伸長させながら拡径したリブ１１を嵌着溝１７に嵌着すると共に、円弧状部１２を突周部１８に嵌着することにより、下フレーム１５に固定され、この状態で、伸長されたシート状部１０が収縮力により緊張した状態で平面状態に保持される。
【００２５】
そこで、シート３を固定した下フレーム１５に上フレーム１６を衝合すると、図２に示すように下爪１９と上爪２２が係着されると共に、凹凸部２５、２６が嵌着され、密閉蓋１が組み立てられる。この状態で、突条２３がリブ１１の平坦部１４を押圧し、これにより、垂下部１３を嵌着溝１７に強固に嵌着させ、円弧状部１２を突周部１８に堅固に嵌着させる。
【００２６】
ところで、シート３が劣化することにより、新たなシート３と取り替えの必要が生じたときは、下フレーム１５と上フレーム１６を分解し、下フレーム１５から劣化したシート３を除去し、新たなシート３を取付けた後、下フレーム１５に上フレーム１６を再度嵌着することが可能である。下フレーム１５と上フレーム１６の分解は、ドライバー等の治具を通孔２１、２４から挿入することにより、下爪１９と上爪２２の係着を離脱させれば良い。
【００２７】
尚、図示実施形態の場合、シート３のリブ１１は、シート状部１０の周囲に連続して周設されているが、周方向に断続的に形成しても良く、その場合、下フレーム１５の嵌着溝１７も周方向に断続的に形成しても良い。
【符号の説明】
【００２８】
１  密閉蓋
２  ホルダー
３  シート
４  窓開口
５  フレーム
８  容器
９  開口縁
１０  シート状部
１１  リブ
１５  下フレーム
１６  上フレーム
【図１】
0003164665.tif 000003
【図２】
0003164665.tif 000004
【図３】
0003164665.tif 000005
【図４】
0003164665.tif 000006
【図５】
0003164665.tif 000007